(57)【要約】      （修正有）【課題】完全に格納可能でありながら十分に伸長可能であって、占有する設計空間量が減少する子供用安全シートで用いるための伸長可能な保護部材を提供する。【解決手段】伸長可能な保護部材１０は、第一の外部ねじと第一の内部ねじとを含む第一のねじ部品１１と、第二の外部ねじを含む第二のねじ部品１２とを、を含み、第一のねじ部品は、第一のねじ部品の第一の内部ねじおよび第二のねじ部品の第二の外部ねじを介して第二のねじ部品に回転可能なように接続される。【選択図】図２
2019151322.tif 000002
【特許請求の範囲】
【請求項１】
子供用安全シート（１）で使用するための伸長可能な保護部材（１０）であって、前記伸長可能な保護部材（１０）は、
第一の外部ねじ（１１ａ）および第一の内部ねじ（１１ｂ）を含む第一のねじ部品（１１）と、
第二の外部ねじ（１２ａ）を含む第二のねじ部品（１２）と、を含み、
前記第一のねじ部品（１１）は、前記第一のねじ部品（１１）の前記第一の内部ねじ（１１ｂ）および前記第二のねじ部品（１２）の前記第二の外部ねじ（１２ａ）を介して、前記第二のねじ部品（１２）に回転可能なように接続される、  伸長可能な保護部材（１０）。
【請求項２】
前記第二のねじ部品（１２）に接続されたカバー（１３）を共回転のためにさらに含む、請求項１に記載の伸長可能な保護部材（１０）。
【請求項３】
第二の内部ねじ（１４ｂ）を有する筐体（１４）であって、前記第一のねじ部品（１１）の前記第一の外部ねじ（１１ａ）および筐体（１４）の前記第二の内部ねじ（１４ｂ）を介して、前記第一のねじ部品（１１）に回転可能なように結合されるように構成される筐体（１４）をさらに含む、請求項１または２に記載の伸長可能な保護部材（１０）。
【請求項４】
前記第一のねじ部品（１１）は、前記子供用安全シート（１）のシェル内に提供される第三の内部ねじに回転可能なように結合されるように構成され、前記第一のねじ部品（１１）の前記第一の外部ねじ（１１ａ）は、前記子供用安全シート（１）の前記シェル内に提供される前記第三の内部ねじと反対方向のねじである、請求項１または２に記載の伸長可能な保護部材（１０）。
【請求項５】
前記第一のねじ部品（１１）の前記第一の内部ねじ（１１ｂ）と前記第二のねじ部品（１２）の前記第二の外部ねじ（１２ａ）とが互いに回転したときに両者の間に生じる摩擦力は、前記第一のねじ部品（１１）の前記第一の外部ねじ（１１ａ）と前記筐体（１４）の前記第二の内部ねじ（１４ｂ）とが互いに回転したときに両者の間に生じる摩擦力とは異なる、
請求項３に記載の伸長可能な保護部材（１０）。
【請求項６】
前記第一のねじ部品（１１）の前記第一の内部ねじ（１１ｂ）と前記第二のねじ部品（１２）の前記第二の外部ねじ（１２ａ）とが互いに回転したときに両者の間に生じる摩擦力は、前記第一のねじ部品（１１）が前記第三の内部ねじに対して回転されたときに、前記第一のねじ部品（１１）の前記第一の外部ねじ（１１ａ）と、前記子供用安全シート（１）の前記シェル内に提供される前記第三の内部ねじとの間に生じる摩擦力とは異なる、請求項４に記載の伸長可能な保護部材（１０）。
【請求項７】
前記第一のねじ部品（１１）および前記第二のねじ部品（１２）は、プラスチック材料、または、例えばアルミニウムといった金属、または金属合金、またはその組み合わせで製造される、請求項１から６のうちのいずれか一項に記載の伸長可能な保護部材（１０）。  
【請求項８】
前記カバー（１３）および前記第二のねじ部品（１２）は、前記カバー（１３）および前記第二のねじ部品（１２）の共回転を可能とするが、前記第二のねじ部品（１２）に対して、前記カバー（１３）の回転を防ぐために、反ねじれ保護を構成する、請求項２に記載の伸長可能な保護部材（１０）。
【請求項９】
前記第一のねじ部品（１１）の前記第一の外部ねじ（１１ａ）は、一端において前記第一の外部ねじ（１１ａ）を閉める、一端における第一の端止めを含み、他端においてスナップフック（１１ｆ）を含み、前記スナップフック（１１ｆ）の第一の位置においては、前記他端で前記第一の外部ねじ（１１ａ）が第二の端止めとして機能するのをブロックし、前記スナップフック（１１ｆ）の第二の位置においては、前記第一の外部ねじ（１１ａ）をブロックせず、前記筐体（１４）の前記第二の内部ねじ（１４ｂ）または前記子供用安全シート（１）の前記シェル内の前記第三の内部ねじに前記第一のねじ部品（１１）を挿入することを可能とする、請求項１から８のうちのいずれか一項に記載の伸長可能な保護部材（１０）。
【請求項１０】
前記第二のねじ部品（１２）の前記第二の外部ねじ（１２ａ）は、一端において前記第二の外部ねじ（１２ａ）を閉める、第三の端止めを前記一端において含む、請求項１から９のうちのいずれか一項に記載の伸長可能な保護部材（１０）。  
【請求項１１】
複数の個別の中間位置が、前記伸長可能な保護部材（１０）の完全に格納された状態と完全に伸長された状態との間の複数の噛合い点によって画定される、請求項１から１０のうちのいずれか一項に記載の伸長可能な保護部材（１０）。
【請求項１２】
其々の内部ねじと外部ねじとの間の前記複数の噛合い点は、前記外部ねじ内に形成される複数のギザギザと、前記内部ねじ内に其々形成される突起とによって画定される、請求項１１に記載の伸長可能な保護部材（１０）。
【請求項１３】
前記カバー（１３）は、前記カバー（１３）の回転角度を示すおよび／または前記伸長可能な保護部材（１０）が完全に伸長されたか、もしくは完全に格納されたか否かを示す指示を含む、請求項２に記載の伸長可能な保護部材（１０）。
【請求項１４】
前記第一のねじ部品（１１）の前記第一の外部ねじ（１１ａ）を介して、前記第一のねじ部品（１１）に直接または間接的に回転可能なように接続される一つ以上のさらなるねじ部品をさらに含む、請求項１から１３のうちのいずれか一項に記載の伸長可能な保護部材（１０）。
【請求項１５】
請求項１から１４のうちのいずれか一項に記載の前記伸長可能な保護部材（１０）を含む子供用安全シート（１）。
【請求項１６】
前記子供用安全シート（１）のシェルと一体化して形成され、前記第一のねじ部品（１１）の前記第一の外部ねじ（１１ａ）に回転可能なように結合されるように構成される第四の内部ねじを有する筐体をさらに含む、請求項１５に記載の子供用安全シート（１）。
【発明の詳細な説明】
【技術分野】
【０００１】
本発明は、子供用安全シート用の伸長可能な保護部材に関する。伸長可能な保護部材は、側面の衝撃の保護用に十分に伸長が可能であって、子供用安全シートのサイズを縮小するために完全に格納可能であって、かつ、子供用安全シートのシェルまたはシェルの側面ウイングに搭載するのに特に適切であるように設計される。
【背景技術】
【０００２】
多くのより旧式の従来型子供用安全シートは、前方の衝突状況で最適な保護を提供するように設計されてきた。しかしながら、全ての衝突のうちの約２５％は、側面から起きる。側面の衝撃の衝突で受ける怪我は、前方の衝突で典型的に受ける怪我よりも一般的にさらに深刻なものである。全ての事故死のうちの３０％までが、側面の衝撃の衝突の結果であることが概算されている。結果として、子供用安全シートで有効かつ信頼性の高い側面の衝撃保護に対する必要性が大きい。
【０００３】
したがって、現在の従来型子供用安全シートは、また、側面の衝撃保護を改善するように設計されている。この目的を達成するために、外部側面衝撃部材とも呼ばれる様々な外部保護部材が設計開発されてきた。それは、子供用安全シートの外部に永久的に取り付けられる保護部材、取り外し可能な保護部材および一体化型保護部材である。
【０００４】
子供用安全シートの外部に永久的に取り付けられる側面衝撃部材は、子供用安全シートの全体寸法を顕著かつ永久的に増加させる。多くの状況で、例えば、小型自動車において、これは、問題になり得る。さらに、子供用安全シートの寸法に関する法的要件（例えば、規格Ｒ４４およびＲ１２９）が満たされなければならない。
【０００５】
取り外し可能な側面衝撃部材は、寸法が増加する問題は軽減するが、誤用または紛失のリスクを生む。親が側面衝撃部材を取り付けない場合には、さらなる側面衝撃保護は、子供用安全シートによって提供されない。
【０００６】
一体化型の調節可能な側面衝撃部材は、寸法が増加する問題は軽減し、また、誤用のリスクを最小化する。この目的を達成するために、一体化型の回転可能な側面衝撃部材が設計され、回転機構またはねじ機構を用いて調節されることが可能である。
【０００７】
其々、ねじと同様に、反時計回りか時計回りに側面衝撃部材を回転させることによって回転可能な側面衝撃部材が伸長されたり、格納されたりできるときに、ねじ機構は、一目瞭然で、かつ取り扱いが容易である。さらに、ねじ機構のねじ山は自動ロック式であり、すなわち、誤ったロックに起因する誤用の可能性がない。
【０００８】
さらに、調整可能な側面衝撃部材のねじ機構は、組み立てが容易であり、必要とされる部品数が少ない。
【発明の概要】
【発明が解決しようとする課題】
【０００９】
子供用安全シート用の一体化型側面衝撃部材は、有利なことに、子供用安全シートのシェル内、特にシェルの側面ウィング内にはめ込まれ、完全に格納されたときに保護部材によって必要とされる空間を減少させる。しかしながら、伸長可能で格納可能な保護部材は、完全に格納可能であるためには、ある量の設計空間を必要とする。シェル内、またはシェルの側面ウィング内に搭載されるとき、利用可能な空間は、其々の位置におけるシェルの寸法、またはシェルの側面ウィングの寸法によって制限される。したがって、最大伸張距離である作動距離は、利用可能な設計空間によって制限される。
【００１０】
したがって、完全に格納可能でありながら十分に伸長可能であって、占有する設計空間量が減少する子供用安全シートで用いるための伸長可能な保護部材を提供することが本発明の目的である。
【００１１】
この目的および他の目的は、請求項１に従う子供用安全シートで用いるための伸長可能な保護部材によって達成される。本発明の有利な実施形態は、請求項２から請求項１６の従属請求項で示される。
【課題を解決するための手段】
【００１２】
本発明の一態様に従い、子供用安全シートで用いるための伸長可能な保護部材が提供され、ここで、伸長可能な保護部材は、第一の外部ねじと第一の内部ねじとを含む第一のねじ部品と、第二の外部ねじを含む第二のねじ部品とを含み、第一のねじ部品は、第一のねじ部品の第一の内部ねじおよび第二のねじ部品の第二の外部ねじを介して、第二のねじ部品に回転可能なように接続される。
【００１３】
二つのねじ部品を含む伸長可能な保護部材を提供することによって、第二のねじ部品の外部ねじは、第一のねじ部品の内部ねじにねじ込まれ、伸長可能な保護部材の最大伸長長さを減少させることなく、伸長可能な保護部材の必要とされる設計空間は減少することができる。したがって、本発明に従う伸長可能な保護部材は、一定、すなわち、減少しない最大伸長長さを有し、同時に、必要とする設計空間がより少なくて済む。
【００１４】
有利なことに、伸長可能な保護部材は、共回転用に、第二のねじ部品に接続されたカバーをさらに含む。
【００１５】
有利なことに、伸長可能な保護部材は、第二の内部ねじを有し、第一のねじ部品の第一の外部ねじおよび筐体の第二の内部ねじを介して、第一のねじ部品に回転可能なように結合されるように構成された筐体をさらに含む。
【００１６】
筐体は、伸長可能な保護部材を子供用安全シートに取り付けるために、子供用安全シートのシェルに搭載されることができる。
【００１７】
有利なことに、第一のねじ部品は、子供用安全シートのシェル内に提供される第三の内部ねじに回転可能なように結合されるように構成され得、第一のねじ部品の第一の外部ねじは、子供用安全シートのシェル内に提供される第三の内部ねじと反対方向である。
【００１８】
この場合には、伸長可能な保護部材は、子供用安全シートのシェル内に提供される適切な内部ねじ（すなわち、反対方向のねじ）内に、第一のねじ部品の外部ねじをねじ込むことによって、子供用安全シートに取り付けられることができる。
【００１９】
有利なことに、第一のねじ部品の第一の内部ねじと第二のねじ部品の第二の外部ねじとが互いに回転したときに、第一の内部ねじと第二の外部ねじとの間に生じる摩擦力は、第一のねじ部品の第一の外部ねじと筐体の第二の内部ねじとが互いに回転したときに、第一の外部ねじと第二の内部ねじとの間に生じる摩擦力とは異なる。
【００２０】
第一のねじ部品と第二のねじ部品との間に生じる摩擦力が第一のねじ部品と筐体との間に生じる摩擦力とが異なる場合、一方のねじ部品は、他方のねじ部品より前に伸長するだろう。双方のねじの同時の移動は、必ずしも必要なわけではなく、および／または望ましくない場合さえある。なぜなら、ランダムに動く、すなわち、交互かつランダムな順序で動く代わりに、毎回同じ順序で連続的にねじが動かされる場合には、ユーザにとって取り扱いがより便利だからである。
【００２１】
有利なことに、第一のねじ部品の第一の内部ねじと第二のねじ部品の第二の外部ねじとが互いに回転したときに、第一の内部ねじと第二の外部ねじとの間に生じる摩擦力は、第一のねじ部品が第三の内部ねじに対して回転されるときに、子供用安全シートのシェル内に提供される第三の内部ねじと第一のねじ部品の第一の外部ねじとの間に生じる摩擦力とは異なる。
【００２２】
第一のねじ部品と第二のねじ部品との間に生じる摩擦力が、子供用安全シートのシェル内に提供されるねじと第一のねじ部品との間に生じる摩擦力とは異なる場合、一方のねじ部品は、他方のねじ部品より前に伸長されるだろう。双方のねじの同時の移動は必ずしも必要なわけではなく、および／または望ましくない場合さえある。なぜなら、ランダムに動く、すなわち、交互かつランダムな順序で動く代わりに、毎回同じ順序で連続的にねじが動かされる場合には、ユーザにとってより取り扱いがより便利だからである。
【００２３】
外部ねじと内部ねじとの間の摩擦力は、ねじのピッチと共に、外部ねじと内部ねじとの間にある隙間または許容誤差に依存する。したがって、外部ねじと内部ねじとの摩擦力は、其々外部ねじと内部ねじとのピッチ径の間の適切な遊び、および／またはねじの適切なピッチを選択することによって容易に制御されることができる。
【００２４】
有利なことに、第一のねじ部品および第二のねじ部品はプラスチック材料で製造される。しかしながら、第一のねじ部品および第二のねじ部品は、また、例えば、アルミニウムといった金属、または金属合金、またはその組み合わせといった他の材料で製造されてもよい。
【００２５】
有利なことに、カバーおよび第二のねじ部品は、カバーおよび第二のねじ部品の共回転を可能にするが、第二のねじ部品に対してカバーの回転を防ぐために、反ねじれ保護を構成する。
【００２６】
反ねじれ保護は、カバーの特定の部品と第二のねじ部品との間の形状ロッキング接続によって形成され得る。例えば、カバーは複数のリブを含み得、第二のねじ部品は、カバーのリブを支持する対応するカットアウトを含み得る。あるいは、カバーおよび第二のねじ部品は、カバーおよび第二のねじ部品が相互に対して回転することを防ぐ、噛合いセレーションを含み得る。
【００２７】
有利なことに、第一のねじ部品の第一の外部ねじは、第一の外部ねじを一端で閉めるリブなどの第一の端止めを、例えば一端に含み、他端にスナップフックを含み、スナップフックの第一の位置では、他端において第二の端止めとして機能する第一の外部ねじをブロックし、スナップフックの第二の位置では、第一の外部ねじをブロックせずに、筐体の第二の内部ねじ、または子供用安全シートのシェル内に提供される第三の内部ねじに第一のねじ部品の第一の外部ねじが挿入されることを可能にする。
【００２８】
有利なことに、第二のねじ部品の第二の外部ねじは、一端で第二の外部ねじを閉めるリブなどの第三の端止めを例えば一端に含む。第二のねじ部品の第二の外部ねじの他方において、カバーは、端止めとして有利に機能する。第二のねじ部品の第二の外部ねじは、第二のねじ部品にカバーを搭載する前に、第一のねじ部品の第一の内部ねじ内にねじ込まれることができる。
【００２９】
有利なことに、複数の個別の中間位置が、伸長可能な保護部材の完全に格納された状態と、完全に伸長された状態との間の複数の噛合い点によって画定される。
【００３０】
有利なことに、其々の内部ねじと外部ねじとの間の複数の噛合い点は、外部ねじ内に形成された複数のギザギザと、内部ねじに其々形成された突起とによって画定される。
【００３１】
複数の噛合い点は、中間位置をユーザに示す。第一のねじ部品および第二のねじ部品が噛合い点において視覚的に噛合うと、ユーザは、伸長機構が中間位置に調整されたことを検知する。
【００３２】
有利なことに、カバーは、カバーの回転角度を示す、および／または、伸長可能な保護部材が完全に伸長されたか、もしくは完全に格納されたか否かを示す指示を含む。
【００３３】
この指示は、例えば、ロゴもしくはブランドなどの単語および／または絵であってもよく、伸長可能な保護部材が完全に格納されたか、もしくは完全に伸長された場合に正確な方向付けを有する。
【００３４】
さらに、指示は、また、伸長可能な保護部材が中間位置に調整されたことも示し得る。例えば、単語および／または絵は、伸長可能な保護部材が中間位置もしくは最終位置（完全に格納される、完全に伸長される）に調整されたときに正確な方向付けを有するだろう。
【００３５】
最終位置および／または中間位置での伸長可能な保護部材のカバーの所望の方向付けは、適切なピッチを有するねじ山を用いることによって達成されることができる。例えば、カバーの一回転（３６０°）後、次の中間位置または最終位置が到達され得る。
【００３６】
したがって、ユーザは、伸長可能な保護部材が中間位置に調整されたことを視認、検知の両方をし得る。
【００３７】
本発明のさらなる態様に従って、上記の伸長可能な保護部材を含む子供用安全シートが提供される。
【００３８】
有利なことに、子供用安全シートは、子供用安全シートのシェルとともに一体化して形成され、第一のねじ部品の第一の外部ねじに回転可能なように結合されるように構成された第四の内部ねじを有する筐体をさらに含む。
【００３９】
このように、子供用安全シートの製造プロセスは簡略化されることができ、子供用安全シートの構造的複雑性は軽減されることができる。
【図面の簡単な説明】
【００４０】
ここで、本発明の特定の実施形態が、添付の図面を参照して例示として記述されるだろう。
【００４１】
【図１】本発明に従う伸長可能な保護部材の一実施形態を含む子供用安全シートを示す。
【図２】本発明に従う伸長可能な保護部材の一実施形態を示す。
【図３】図２の伸長可能な保護部材を分解組立て図で示す。
【図４ａ】本発明に従う伸長可能な保護部材のさらなる実施形態を完全に格納された位置で示す。
【図４ｂ】本発明に従う伸長可能な保護部材のさらなる実施形態を部分的に伸長された位置で示す。
【図４ｃ】本発明に従う伸長可能な保護部材のさらなる実施形態をほぼ完全に伸長された位置で示す。
【図５ａ】図２および図３に図示された実施形態の第一のねじ部品１１を示す。
【図５ｂ】図２および図３に図示された実施形態の第二のねじ部品１２を示す。
【発明を実施するための形態】
【００４２】
図１は、本発明に従う伸長可能な保護部材の一実施形態を含む子供用安全シート１を図示する。伸長可能な保護部材１０は、子供用安全シート１のシェルの側面ウィング内に有利にはめ込まれる。側面ウイング自体は、子供用安全シート１内に座っている子供を横方向の衝撃から防護するために、改善された側面衝撃保護を提供する。この保護効果は、側面ウィングにはめ込まれた伸長可能な保護部材１０によって高められる。子供用安全シート１は、子供用安全シート１のシェルと一体化して形成された筐体を含み得、筐体は、伸長可能な保護部材１０を受けて支持する。あるいは、伸長可能な保護部材１０は、子供用安全シートのシェルの側面ウィングに有利に固定された筐体を含み得る。
【００４３】
双方の場合、伸長可能な保護部材１０に働く力は、子供用安全シート１のシェル、特にシェルの側面ウィングに伝達され、これは、機械的力を受け止め、子供用安全シート１内の子供から機械力を逸らすように構成される。しかしながら、側面の衝撃がある場合には、子供用安全シート内に座っている子供のための生存空間を保つために、押し込まれる乗用車のドアとの早期接触を達成することが重要である。
【００４４】
したがって、伸長可能な保護部材１０が完全に伸長されたときに、保護部材１０が乗用車のドアに伸びるか、または少なくとも乗用車のドアの近傍へと延びるように、伸長可能な保護部材１０の最大伸長長さは、できる限り大きくするべきである。
【００４５】
ねじ機構は、連続的に調整可能であり、取り扱いが容易であるため、伸長可能な保護部材１０用に用いられる。伸長可能な保護部材１０は、ねじと同様、そのカバーを其々反時計回り、時計回りに回転させることによって、伸長、格納されることができる。あらゆる位置においてねじ機構のねじ山は自動ロック式であるため、誤ったロッキングに起因する誤用のリスクがない。さらに、ねじ機構は、組み立てが容易であって、必要な部品数が少ない。
【００４６】
しかしながら、ねじ機構を有する伸長可能で格納可能な保護部材は、完全に格納可能であるために、ある量の設計空間を必要とする。シェル内またはシェルの側面ウィング内に搭載されると、利用可能な空間は、其々の位置におけるシェルまたはシェルの側面ウィングの厚さによって制限される。したがって、伸長可能な保護部材１０の作動距離は、最大伸長長さであるが、利用可能な設計空間によって制限される。
【００４７】
本発明に従う伸長可能な保護部材は、制限された設計空間の問題を処理するために開発されてきた。
【００４８】
図２および図３は、本発明に従う伸長可能な保護部材の一実施形態を図示する。
【００４９】
図２および図３に図示された伸長可能な保護部材１０は、第一もしくは外部ねじ部品１１と、第二もしくは内部ねじ部品１２と、カバー１３と、筐体１４と、ねじ１５とを含み、第一のねじ部品１１、第二の部品１２、カバー１３、筐体１４およびねじ１５のうちの少なくとも一つは、有利なことに、プラスチック材料から製造される。望ましくは、第一のねじ部品１１、第二のねじ部品１２、カバー１３、筐体１４およびねじ１５は、軽量で、低い製造コストを含むプラスチック材料で製造される。
【００５０】
第一のねじ部品１１は、第一の外部（雄）ねじ１１ａと、第一の内部（雌）ねじ１１ｂとを含む。第二のねじ部品１２は、第二の外部ねじ１２ａを含み、筐体１４は、第二の内部ねじ１４ｂを含む。カバー１３は、プラスチックねじ１５によって第二のねじ部品１２に有利に取り付けられる。第一のねじ部品１１は、第一のねじ部品１１の第一の内部ねじ１１ｂおよび第二のねじ部品１２の第二の外部ねじ１２ａを介して、第二のねじ部品１２に回転可能なように接続される。第一のねじ部品１１は、第一のねじ部品の第一の外部ねじ１１ａおよび筐体１４の第二の内部ねじ１４ｂを介して、筐体１４に回転可能なように結合されるように構成される。
【００５１】
二つの同軸に配列されたねじ部品１１および１２を有する伸長可能な保護部材１０を提供することによって、第二のねじ部品１２の外部ねじ１２ａは、第一のねじ部品１１の内部ねじ１１ｂにねじ込まれ、伸長可能な保護部材１０の長さは、伸長可能な保護部材１０の最大伸長長さを減少させることなく、縮小されることができる。したがって、本発明に従う伸長可能な保護部材は、一定、すなわち、最大伸長長さを減少させないまま、同時に、必要とする設計空間をより少なくする。または、本発明に従う伸長可能な保護部材は、与えられた設計空間に対して、最大伸長長さの増加を特徴とする。例えば、特定の子供用安全シートが、２４ｍｍの伸長を可能とするねじ山を容易にする設計空間を提供する場合、伸長可能な保護部材１０は、双方のねじ部品が完全に伸長されると、４８ｍｍまでの合計の伸長長さを達成するだろう。
【００５２】
３つ以上の同軸に配列されたねじ部品を含む伸長可能な保護部材もまた、可能である。例えば、伸長可能な保護部材が３つの同軸に配列されたねじ部品を含む場合には、第三（内部）のねじ部品が第二（中間）のねじ部品内にねじ込まれ、第二のねじ部品が第一（外部）のねじ部品内にねじ込まれる。したがって、必要に応じて、ねじ部品の数を増加させることによって、最大伸長長さは、与えられた設計空間用にさらに増加することができる。
【００５３】
有利なことに、本発明の伸長可能な保護部材は、第一のねじ部品の第一の外部ねじを介して、第一のねじ部品に直接または間接的に回転可能なように接続される一つ以上のさらなるねじ部品をさらに含む。
【００５４】
有利なことに、相互に対して回転されたときに第一のねじ部品１１の第一の内部ねじ１１ｂと第二のねじ部品１２の第二の外部ねじ１２ａとの間に生じる摩擦力は、相互に対して回転されたときに、第一のねじ部品１１の第一の外部ねじ１１ａと筐体１４の第二の内部ねじ１４ｂとの間に生じる摩擦力とは異なる。
【００５５】
第一のねじ部品１１と第二のねじ部品１２との間に生じる摩擦力が、第一のねじ部品１１と筐体１４との間に生じる摩擦力とが異なる場合、一方のねじ部品は、他方のねじ部品の前に伸長されるだろう。双方のねじの同時の移動は、必ずしも必要なわけではなく、望ましくない場合さえある。なぜなら、ランダムに動く、すなわち、交互かつランダムな順序で動く代わりに、毎回同じ順序で連続的にねじが動かされる場合に、ユーザにとって取り扱いがより便利だからである。
【００５６】
外部ねじと内部ねじとの間の摩擦力は、ねじのピッチと共に、外部ねじと内部ねじとの間に存在する隙間または許容誤差に依存する。したがって、外部ねじと内部ねじとの摩擦力は、其々外部ねじと内部ねじとのピッチ径の間の適切な遊び、および／またはねじの適切なピッチを選択することによって容易に制御されることができる。
【００５７】
図４ａ、図４ｂおよび図４ｃは、完全に格納された位置（図４ａ）、部分的に伸長された位置（図４ｂ）およびほぼ完全に伸長された位置（図４ｃ）における本発明に従う伸長可能な保護部材のさらなる実施形態を図示する。
【００５８】
この実施形態においては、第一のねじ部品１１と筐体１４との間に生じる摩擦力は、第一のねじ部品１１と第二のねじ部品１２との間に生じる摩擦力よりも低い。したがって、図４ａ、図４ｂ、図４ｃに見出されることができるように、第一（外部）のねじ部品１１は、伸長可能な保護部材１０のカバー１３を半時計回りに回転させるときにまず伸長される。第一のねじ部品１１が完全に伸長された後、第二のねじ部品１２が伸長され始める。
【００５９】
カバー１３および第二のねじ部品１２が反ねじれ保護を有利に構成することで、カバー１３および第二のねじ部品１２の共回転を可能とし、第二のねじ部品１２に対してカバー１３の回転を防ぐ。
【００６０】
反ねじれ保護は、カバー１３の特定の部品と第二のねじ部品１２との間の形状ロッキング接続によって形成され得る。例えば、カバー１３は、複数のリブを含み得、第二のねじ部品１２は、カバーのリブを支持する対応するカットアウトを含み得る。あるいは、カバー１３および第二のねじ部品１２は、カバーおよび第二のねじ部品が相互に対して回転することを防ぐ噛合いセレーションを含み得る。
【００６１】
図５ａおよび図５ｂは、図２および図３に図示された実施形態の第一のねじ部品１１および第二のねじ部品１２を図示する。
【００６２】
第一のねじ部品１１の第一の外部ねじ１１ａは、望ましくは、図５ａに図示されるようなリブ１１ｅといった第一の端止めを一端に含み、それは、一端で第一の外部ねじ１１ａを閉め、他端にスナップフック１１ｆを含み、スナップフック１１ｆの第一の位置においては、第一の外部ねじ１１ａが他端で第二の端止めとして機能することをブロックし、スナップフックの第二の位置においては、第一の外部ねじ１１ａをブロックせずに、第一のねじ部品１１の第一の外部ねじ１１ａが筐体１４の第二の内部ねじ１４ｂ内に挿入されることを可能とする。
【００６３】
第二のねじ部品１２の第二の外部ねじ１２ａは、また、図５ｂに図示されるように、リブ１２ｅといった端止めを一端に含み、それは、一端で第二の外部ねじ１２ａを閉める。第二のねじ部品１２の第二の外部ねじ１２ａの他端では、カバー１３は、端止めとして有利に機能する。第二のねじ部品１２の第二の外部ねじ１２ａは、第二のねじ部品１２にカバー１３を取り付ける前に、第一のねじ部品１１の第一の内部ねじ１１ｂ内にねじ込まれることができる。カバー１３が第二のねじ部品１２に取り付けられるとき、それは、第二の外部ねじ１２ａの他端で端止めとして機能する。
【００６４】
複数の個別の中間位置は、伸長可能な保護部材１０の完全に格納された状態と完全に伸長された状態との間で複数の噛合い点によって有利に画定され得る。
【００６５】
この目的を達成するために、第一のねじ部品１１は、第一の外部ねじ１１ａ内に形成された複数のギザギザ１１ｉを含み得、筐体１４は、第二の内部ねじ１４ｂに形成された少なくとも一つの突起を含み得る。
【００６６】
同様に、第二のねじ部品１２は、第二の外部ねじ１２ａ内に形成された複数のギザギザを含み得、第一のねじ部品１１は、第一の内部ねじ１１ｂに形成された少なくとも一つの突起を含み得る。
【００６７】
複数の噛合い点は、望ましくは、中間位置をユーザに示す。第一のねじ部品１１および第二のねじ部品１２は、第一のねじ部品１１および筐体１４と同様に、其々の噛合い点において視覚的に噛合い得る。したがって、ユーザは、伸長可能な保護部材１０のカバー１３を回転させるとき、複数の中間位置のうちの一つに伸長可能な保護部材１０が調整されたか否かを検知することができる。
【００６８】
カバー１３は、カバー１３の回転角度、および／または、伸長可能な保護部材１０が完全に伸長されたか、もしくは完全に格納されたか否かを示す指示を有利に含み得る。
【００６９】
指示は、例えば、ロゴもしくはブランドといった単語および／または絵であってもよく、それは、伸長可能な保護部材１０が完全に格納されたか、または完全に伸長された場合に正確な方向付けを有する。
【００７０】
さらに、指示は、また、伸長可能な保護部材１０が中間位置に調整されたことも示し得る。例えば、単語および／または絵は、伸長可能な保護部材１０が中間位置もしくは最終位置（完全に格納される、完全に伸長される）に調整されたときに正確な方向付けを有するだろう。
【００７１】
最終位置および／または中間位置における伸長可能な保護部材１０のカバー１３の所望の方向付けは、適切なピッチを有するねじ山を用いることによって達成されることができる。例えば、カバー１３の一回転（３６０°）後、次の中間位置または最終位置が到達され得る。
【００７２】
このように、ユーザは、伸長可能な保護部材１０が中間位置に調整されたことの視認、検知の双方をし得る。
【図１】
2019151322.tif 000003
【図２】
2019151322.tif 000004
【図３】
2019151322.tif 000005
【図４ａ】
2019151322.tif 000006
【図４ｂ】
2019151322.tif 000007
【図４ｃ】
2019151322.tif 000008
【図５ａ】
2019151322.tif 000009
【図５ｂ】
2019151322.tif 000010
【外国語明細書】
2019151322000001.pdf